(57)【要約】      （修正有）【課題】橋桁の荷重に対する仮支承の圧縮抵抗及びせん断抵抗の解放を短時間且つ容易に行えるようにする。【解決手段】仮支承１０は、下部ブロック２０、上部ブロック４０及び間詰め材を備える。下部ブロック２０は、下部構造体の天端に固定される本体部２１と、本体部２１の上面に凹設された凹部３１と、を有する。上部ブロック４０は、橋桁の下面に固定されて、本体部２１の上方に配置された本体部４１と、本体部４１の下面に凸設され、凹部３１に嵌め込まれた凸部５１と、を有する。凸部５１の第一側面５３が凹部３１の第一内面３３に突き当てられ、凸部５１の第二側面５４が凹部３１の第二内面に突き当てられ、本体部２１の上面２２と本体部４１の下面４２との間に間詰め材が挟み込まれ、凸部５１の下面５２と凹部３１の底面３２との間に間詰め材が挟み込まれている。【選択図】図４
2018145636.tif 000002
【特許請求の範囲】
【請求項１】
橋梁の下部構造体の天端と橋桁の下面との間に設けられる仮支承であって、
下部ブロック、上部ブロック、第一間詰め材及び第二間詰め材を備え、
前記下部ブロックが、
前記下部構造体の天端に固定される下部ブロック本体部と、
前記下部ブロック本体部の上面に凹設された凹部と、を有し、
前記上部ブロックが、
前記橋桁の下面に固定されて、前記下部ブロック本体部の上方に配置された上部ブロック本体部と、
前記上部ブロック本体部の下面に凸設され、前記凹部に嵌め込まれた凸部と、を有し、
前記凹部の第一内面及び第二内面が前記凹部の底面から前記下部ブロック本体部の上面に立ち上がるとともに、入隅を成すように互いに隣接し、
前記凸部の第一側面及び第二側面が前記凸部の下面から前記上部ブロック本体部の下面に立ち上がるとともに、出隅を成すように互いに隣接し、
前記凸部の第一側面が前記凹部の第一内面に突き当てられ、前記凸部の第二側面が前記凹部の第二内面に突き当てられ、
前記下部ブロック本体部の上面と前記上部ブロック本体部の下面との間に前記第一間詰め材が挟み込まれ、前記凸部の下面と前記凹部の底面との間に前記第二間詰め材が挟み込まれている
ことを特徴とする仮支承。
【請求項２】
橋梁の下部構造体の天端と橋桁の下面との間に設けられる仮支承であって、
下部ブロック、上部ブロック及び間詰め材を備え、
前記下部ブロックが、
前記下部構造体の天端に固定される下部ブロック本体部と、
前記下部ブロック本体部の上面に凹設された凹部と、を有し、
前記上部ブロックが、
前記橋桁の下面に固定されて、前記下部ブロック本体部の上方に配置された上部ブロック本体部と、
前記上部ブロック本体部の下面に凸設され、前記凹部に嵌め込まれた凸部と、を有し、
前記凹部の内面が前記下部ブロック本体部の上面から立ち下がって曲面状に形成され、
前記凸部の外面が前記上部ブロック本体部の下面から立ち下がって曲面状に形成され、
前記間詰め材が前記凹部の内面と前記凸部の外面との間に挟み込まれているとともに、前記下部ブロック本体部の上面と前記上部ブロック本体部の下面との間に挟み込まれている
ことを特徴とする仮支承。
【請求項３】
前記凹部が前記下部ブロック本体部の側面において開口する
ことを特徴とする請求項１又は２に記載の仮支承。
【請求項４】
橋梁の下部構造体の天端と橋桁の下面との間に設けられる仮支承であって、
下部ブロック、上部ブロック、第一間詰め材及び第二間詰め材を備え、
前記上部ブロックが、
前記橋桁の下面に固定された上部ブロック本体部と、
前記上部ブロック本体部の下面に凹設された凹部と、を有し、
前記下部ブロックが、
前記下部構造体の天端に固定され、前記上部ブロック本体部の下方に配置された下部ブロック本体部と、
前記下部ブロック本体部の上面に凸設され、前記凹部に嵌め込まれた凸部と、を有し、
前記凹部の第一内面及び第二内面が前記凹部の天面から前記上部ブロック本体部の下面に立ち下がるとともに、入隅を成すように互いに隣接し、
前記凸部の第一側面及び第二側面が前記凸部の上面から前記下部ブロック本体部の上面に立ち下がるとともに、出隅を成すように互いに隣接し、
前記凸部の第一側面が前記凹部の第一内面に突き当てられ、前記凸部の第二側面が前記凹部の第二内面に突き当てられ、
前記下部ブロック本体部の上面と前記上部ブロック本体部の下面との間に前記第一間詰め材が挟み込まれ、前記凸部の上面と前記凹部の天面との間に前記第二間詰め材が挟み込まれている
ことを特徴とする仮支承。
【請求項５】
橋梁の下部構造体の天端と橋桁の下面との間に設けられる仮支承であって、
下部ブロック、上部ブロック及び間詰め材を備え、
前記上部ブロックが、
前記橋桁の下面に固定された上部ブロック本体部と、
前記上部ブロック本体部の下面に凹設された凹部と、を有し、
前記下部ブロックが、
前記下部構造体の天端に固定され、前記上部ブロック本体部の下方に配置された下部ブロック本体部と、
前記下部ブロック本体部の上面に凸設され、前記凹部に嵌め込まれた凸部と、を有し、
前記凹部の内面が前記上部ブロック本体部の下面から立ち上がって曲面状に形成され、
前記凸部の外面が前記下部ブロック本体部の上面から立ち上がって曲面状に形成され、
前記間詰め材が前記凹部の内面と前記凸部の外面との間に挟み込まれているとともに、前記下部ブロック本体部の上面と前記上部ブロック本体部の下面との間に挟み込まれている
ことを特徴とする仮支承。
【請求項６】
前記凹部が前記上部ブロック本体部の側面において開口する
ことを特徴とする請求項４又は５に記載の仮支承。
【請求項７】
前記第一間詰め材及び前記第二間詰め材が粉粒体からなる
ことを特徴とする請求項１又は４に記載の仮支承。
【請求項８】
前記第一間詰め材及び前記第二間詰め材が横になって束ねられた複数の丸棒からなる
ことを特徴とする請求項１又は４に記載の仮支承。
【請求項９】
前記第一間詰め材及び前記第二間詰め材が、
敷き詰められた複数の可撓性管と、
圧縮された状態で前記可撓性管に充填された流体と、を有する
ことを特徴とする請求項１又は４に記載の仮支承。
【請求項１０】
前記第一間詰め材及び前記第二間詰め材が前記上部ブロック本体部及び前記下部ブロック本体部よりも軟質な材料からなる
ことを特徴とする請求項１又は４に記載の仮支承。
【発明の詳細な説明】
【技術分野】
【０００１】
本発明は、橋梁の下部構造体と橋桁との間に設けられ、橋桁を支承する仮支承に関する。
【背景技術】
【０００２】
張出架設工法による連続橋桁の構築中は、橋梁の下部構造体（例えば橋脚）上に設置された仮支承によって連続橋桁を支承して、連続橋桁の荷重を仮支承によって受ける必要がある（例えば、特許文献１参照）。以下、特許文献１において用いられた符号を括弧書きで表記し、特許文献１に記載の技術について簡単に説明する。
【０００３】
特許文献１に記載によると、橋脚（１）を構築した後、橋脚（１）の天端に本支承（１３）を設置する。また、橋脚（１）にＰＣ鋼棒（９）を設置して、そのＰＣ鋼棒（９）を橋脚（１）の天端から上方へ突出させる。更に、複数の仮支承用コンクリートブロック（５ａ，５ｂ）を橋脚（１）の天端上に打設するが、それらコンクリートブロック（５ａ，５ｂ）は橋脚（１）に付着しておらず、単に橋脚（１）の天端に載置されているだけである。次に、橋桁（７）の一部をコンクリートブロック（５ａ，５ｂ）上に設置し、ＰＣ鋼棒（９）を用いて橋脚（１）と橋桁（７）を仮固定する。また、Ｈ鋼（１２）を橋桁（７）と橋脚（１）とに跨がるように埋め込む。
【０００４】
以上のようにして橋桁（７）を支持した場合、コンクリートブロック（５ａ，５ｂ）は橋桁（７）の鉛直荷重を負担して、その鉛直荷重による圧縮に抵抗する。ＰＣ鋼棒（９）は橋桁（７）の上方への荷重を負担して、その荷重による引張に抵抗する。Ｈ形鋼（１２）は橋桁（７）の水平荷重を負担して、その水平荷重によるせん断に抵抗する。
【０００５】
張出架設工法によって橋桁（７）を構築した後、ＰＣ鋼棒（９）を撤去する。その後、コンクリートブロック（５ａ，５ｂ）をコア抜きすることによってコンクリートブロック（５ａ，５ｂ）を上下に分割した上で、コンクリートブロック（５ａ，５ｂ）の残りの部分を破砕する。これにより、コンクリートブロック（５ａ，５ｂ）を撤去する。また、Ｈ鋼（１２）のうち橋桁（７）と橋脚（１）との間の部分を切断する（但し、Ｈ鋼（１２）の切断については、特許文献１に開示されていない）。
【先行技術文献】
【特許文献】
【０００６】
【特許文献１】特開２０１１−２４１５８２号公報
【発明の概要】
【発明が解決しようとする課題】
【０００７】
ところで、ＰＣ鋼棒（９）及びコンクリートブロック（５ａ，５ｂ）の撤去工程と、Ｈ鋼（１２）の切断工程はクリティカルパスである。つまり、ＰＣ鋼棒（９）による引張抵抗、コンクリートブロック（５ａ，５ｂ）による圧縮抵抗、更にＨ鋼（１２）によるせん断抵抗を解放しなければ、後の工程を実施することができない。ＰＣ鋼棒（９）の撤去は短時間で行えるものの、コンクリートブロック（５ａ，５ｂ）の撤去とＨ鋼（１２）の切断は短時間で行えない。これは、橋桁（７）の下面と橋脚（１）の天端との間の空間が狭く、コンクリートブロック（５ａ，５ｂ）の撤去及びＨ鋼（１２）の切断の作業を容易に行えない等の理由に因る。
【０００８】
そこで、本発明は、上記事情に鑑みてなされたものであって、橋桁の荷重に対する仮支承の圧縮抵抗及びせん断抵抗の解放を短時間且つ容易に行えるようにすることを目的とする。
【課題を解決するための手段】
【０００９】
以上の課題を解決するべく、本発明の第一の側面によれば、橋梁の下部構造体の天端と橋桁の下面との間に設けられる仮支承は、下部ブロック、上部ブロック及び間詰め材を備え、前記下部ブロックが、前記下部構造体の天端に固定される下部ブロック本体部と、前記下部ブロック本体部の上面に凹設された凹部と、を有し、前記上部ブロックが、前記橋桁の下面に固定されて、前記下部ブロック本体部の上方に配置された上部ブロック本体部と、前記上部ブロック本体部の下面に凸設され、前記凹部に嵌め込まれた凸部と、を有し、前記凹部の内面が前記下部ブロック本体部の上面から立ち下がって曲面状に形成され、前記凸部の外面が前記上部ブロック本体部の下面から立ち下がって曲面状に形成され、前記間詰め材が前記凹部の内面と前記凸部の外面との間に挟み込まれているとともに、前記下部ブロック本体部の上面と前記上部ブロック本体部の下面との間に挟み込まれている。
【００１０】
また、以上の課題を解決するべく、本発明の第二の側面によれば、橋梁の下部構造体の天端と橋桁の下面との間に設けられる仮支承であって、下部ブロック、上部ブロック、第一間詰め材及び第二間詰め材を備え、前記上部ブロックが、前記橋桁の下面に固定された上部ブロック本体部と、前記上部ブロック本体部の下面に凹設された凹部と、を有し、前記下部ブロックが、前記下部構造体の天端に固定され、前記上部ブロック本体部の下方に配置された下部ブロック本体部と、前記下部ブロック本体部の上面に凸設され、前記凹部に嵌め込まれた凸部と、を有し、前記凹部の第一内面及び第二内面が前記凹部の天面から前記上部ブロック本体部の下面に立ち下がるとともに、入隅を成すように互いに隣接し、前記凸部の第一側面及び第二側面が前記凸部の上面から前記下部ブロック本体部の上面に立ち下がるとともに、出隅を成すように互いに隣接し、前記凸部の第一側面が前記凹部の第一内面に突き当てられ、前記凸部の第二側面が前記凹部の第二内面に突き当てられ、前記下部ブロック本体部の上面と前記上部ブロック本体部の下面との間に前記第一間詰め材が挟み込まれ、前記凸部の上面と前記凹部の天面との間に前記第二間詰め材が挟み込まれている。
【００１１】
本発明の第一側面及び第二側面によれば、凸部の第一側面が凹部の第一内面に突き当てられているので、その第一側面がその第一内面に押し付けられる向きの水平荷重によるせん断に対して仮支承が抵抗し得る。また、凸部の第二側面が凹部の第二内面に突き当てられているので、その第二側面がその第二内面に押し付けられる向きの水平荷重によるせん断に対して仮支承が抵抗し得る。仮支承がせん断に対して抵抗するので、従来設置したＨ鋼を設置せずとも済む。
第一間詰め材及び第二間詰め材が下部ブロックと上部ブロックとの間に挟み込まれているので、橋桁の鉛直荷重による圧縮に対して仮支承が抵抗し得る上、仮支承のせん断抵抗が向上する。
一方、第一間詰め材及び第二間詰め材が下部ブロックと上部ブロックとの間に挟み込まれているだけであるから、第一間詰め材及び第二間詰め材を短時間の間に且つ容易に撤去することができる。
第一間詰め材及び第二間詰め材を撤去すると、橋桁の鉛直荷重に対する仮支承の圧縮抵抗が解放される上、凸部の第一側面又は第二側面が凹部の第一側面又は第二内面に押し付けられる向きの水平荷重に対する仮支承のせん断抵抗が大幅に減少する。よって、下部ブロック及び上部ブロックを撤去せずとも、第一間詰め材及び第二間詰め材の撤去から時間を置かずに橋桁の構築後の工程を実施できる。
【００１２】
本発明の第三側面によれば、橋梁の下部構造体の天端と橋桁の下面との間に設けられる仮支承は、下部ブロック、上部ブロック及び間詰め材を備え、前記下部ブロックが、前記下部構造体の天端に固定される下部ブロック本体部と、前記下部ブロック本体部の上面に凹設された凹部と、を有し、前記上部ブロックが、前記橋桁の下面に固定されて、前記下部ブロック本体部の上方に配置された上部ブロック本体部と、前記上部ブロック本体部の下面に凸設され、前記凹部に嵌め込まれた凸部と、を有し、前記凹部の内面が前記下部ブロック本体部の上面から立ち下がって曲面状に形成され、前記凸部の外面が前記上部ブロック本体部の下面から立ち下がって曲面状に形成され、前記間詰め材が前記凹部の内面と前記凸部の外面との間に挟み込まれているとともに、前記下部ブロック本体部の上面と前記上部ブロック本体部の下面との間に挟み込まれている。
【００１３】
本発明の第四側面によれば、橋梁の下部構造体の天端と橋桁の下面との間に設けられる仮支承は、下部ブロック、上部ブロック及び間詰め材を備え、前記上部ブロックが、前記橋桁の下面に固定された上部ブロック本体部と、前記上部ブロック本体部の下面に凹設された凹部と、を有し、前記下部ブロックが、前記下部構造体の天端に固定され、前記上部ブロック本体部の下方に配置された下部ブロック本体部と、前記下部ブロック本体部の上面に凸設され、前記凹部に嵌め込まれた凸部と、を有し、前記凹部の内面が前記上部ブロック本体部の下面から立ち上がって曲面状に形成され、前記凸部の外面が前記下部ブロック本体部の上面から立ち上がって曲面状に形成され、前記間詰め材が前記凹部の内面と前記凸部の外面との間に挟み込まれているとともに、前記下部ブロック本体部の上面と前記上部ブロック本体部の下面との間に挟み込まれている。
【００１４】
本発明の第三側面及び第四側面によれば、間詰め材が凸部の曲面状内面と凹部の曲面状外面との間に挟み込まれているので、凸部の曲面状内面が凹部の曲面状外面に押し付けられる向きの水平荷重によるせん断に対して仮支承が抵抗し得る。仮支承がせん断に対して抵抗するので、従来設置したＨ鋼を設置せずとも済む。
間詰め材が下部ブロックと上部ブロックとの間に挟み込まれているので、橋桁の鉛直荷重による圧縮に対して仮支承が抵抗し得る上、仮支承のせん断抵抗が向上する。
一方、間詰め材が下部ブロックと上部ブロックとの間に挟み込まれているだけであるから、間詰め材を短時間の間に且つ容易に撤去することができる。
間詰め材を撤去すると、橋桁の鉛直荷重に対する仮支承の圧縮抵抗が解放される上、水平荷重に対する仮支承のせん断抵抗も解放される。よって、下部ブロック及び上部ブロックを撤去せずとも、間詰め材の撤去から時間を置かずに橋桁の構築後の工程を実施できる。
【００１５】
前記第一又は第三の側面において、好ましくは、前記凹部が前記下部ブロック本体部の側面において開口する。また、前記第二又は第四の側面において、好ましくは、前記凹部が前記上部ブロック本体部の側面において開口する。
以上によれば、間詰め材や第二間詰め材を容易に撤去することができる。
【００１６】
前記第一又は第二の側面において、前記第一間詰め材及び前記第二間詰め材が粉粒体からなる。
以上によれば、空気等の流体を第一間詰め材及び第二間詰め材に吹き付けることによって、粉粒体としての第一間詰め材及び第二間詰め材を吹き飛ばすことができる。従って、第一間詰め材及び第二間詰め材を容易に撤去することができる。
【００１７】
前記第一又は第二の側面において、前記第一間詰め材及び前記第二間詰め材が横になって束ねられた複数の丸棒からなる。
以上によれば、丸棒を転動させることによって、第一間詰め材及び第二間詰め材を容易に撤去することができる。
【００１８】
前記第一又は第二の側面において、前記第一間詰め材及び前記第二間詰め材が、敷き詰められた複数の可撓性管と、圧縮された状態で前記可撓性管に充填された流体と、を有する。
以上によれば、可撓性管に充填された流体を減圧して、可撓性管から流体を流出させると、仮支承の圧縮抵抗やせん断抵抗を解放することができる。
【００１９】
前記第一又は第二の側面において、前記第一間詰め材及び前記第二間詰め材が前記上部ブロック本体部及び前記下部ブロック本体部よりも軟質な材料からなる。
以上によれば、第一間詰め材及び第二間詰め材を切断しやすい。第一間詰め材及び第二間詰め材を切断すれば、第一間詰め材及び第二間詰め材を撤去しやすい。
【発明の効果】
【００２０】
本発明によれば、橋桁の荷重に対する仮支承の圧縮抵抗及びせん断抵抗の解放を短時間且つ容易に行える。
【図面の簡単な説明】
【００２１】
【図１】図１は、仮支承の斜視図である。
【図２】図２は、仮支承の斜視図である。
【図３】図３は、仮支承の分解斜視図である。
【図４】図４は、仮支承の分解斜視図である。
【図５】図５は、間詰め材を変更した第一変形例に係る仮支承の部分断面図である。
【図６】図６は、前記第一変形例に係る仮支承の部分断面図である。
【図７】図７は、間詰め材を変更した第二変形例に係る仮支承の部分断面図である。
【図８】図８は、前記第二変形例に係る仮支承の部分断面図である。
【図９】図９は、間詰め材を変更した第三変形例に係る仮支承の部分断面図である。
【図１０】図１０は、前記第三変形例に係る仮支承の部分断面図である。
【図１１】図１１は、１組の仮支承の斜視図である。
【図１２】図１２は、橋梁を構築する際の一工程を説明するための側面図である。
【図１３】図１３は、図１２に示す工程を説明するための平面図である。
【図１４】図１４は、図１２に示す工程の後の工程を説明するための側面図である。
【図１５】図１５は、図１２に示す工程の後の工程を説明するための平面図である。
【図１６】図１６は、図１４に示す工程の後の工程を説明するための側面図である。
【図１７】図１７は、図１４に示す工程の後の工程を説明するための平面図である。
【図１８】図１８は、図１６に示す工程の後の工程を説明するための側面図である。
【図１９】図１９は、図１８に示す工程の後の工程を説明するための側面図である。
【図２０】図２０は、図１９に示す工程の後の工程を説明するための側面図である。
【図２１】図２１は、第四変形例に係る仮支承の斜視図である。
【図２２】図２２は、第五変形例に係る仮支承の斜視図である。
【図２３】図２３は、第六変形例に係る仮支承の斜視図である。
【図２４】図２４は、第六変形例に係る仮支承の斜視図である。
【図２５】図２５は、第六変形例に係る仮支承の分解斜視図である。
【図２６】図２６は、第六変形例に係る仮支承の分解斜視図である。
【図２７】図２７は、第七変形例に係る仮支承の分解斜視図である。
【発明を実施するための形態】
【００２２】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００２３】
＜１．仮支承＞
図１及び図２は中心投影法（透視投影法）による仮支承１０の斜視図であり、図３及び図４は平行投影法による仮支承１０の分解斜視図である。
【００２４】
仮支承１０は、張出架設工法によって施工される連続橋桁と橋梁の下部構造体（例えば橋脚又は橋台）の天端との間に仮設置されるものである。仮支承１０は、施工中の連続橋桁の鉛直荷重による圧縮に対して抵抗するとともに、連続橋桁の水平荷重によるせん断に対して抵抗するものである。仮支承１０は、連続橋桁の上端から下部構造体の内部にまで貫通した緊張材（例えば、ＰＣ鋼棒、ＰＣ鋼撚り線その他のＰＣ鋼材）と併用して利用される。緊張材は、連続橋桁が下部構造体から上方へ離れる向きの荷重による引張に対して抵抗するものである。
【００２５】
仮支承１０は、下部構造体の天端に固定された下部ブロック２０と、連続橋桁の下面に固定された上部ブロック４０と、下部ブロック２０と上部ブロック４０との間に挟み込まれるとともにこれらブロック２０，４０から分離可能な間詰め材６０，７０と、を備える。ここで、間詰め材６０，７０がブロック２０，４０から分離可能とは、間詰め材６０，７０が化学的又は物理的にブロック２０，４０に固着していないことをいう。
【００２６】
＜１−１．下部ブロック＞
下部ブロック２０は、現場打ちコンクリート製又はプレキャストコンクリート製である。下部ブロック２０には鉄筋若しくは鉄骨又はこれら両方が埋設されていてもよいし、埋設されていなくてもよい。
【００２７】
下部ブロック２０の本体部（以下、下部ブロック本体部という）２１は、直方体の上面２２に直方体型の凹部３１が形成された形状に形作られている。下部ブロック本体部２１の横を向いた側面２３〜２６は、四つの角が全て直角である四角柱面を成している。凹部３１は、下部ブロック本体部２１の上面２２において開口するのみならず、下部ブロック本体部２１の隣接する側面２５，２６においても開口する。
【００２８】
凹部３１の底面３２が下部ブロック本体部２１の上面２２及び下面に対して平行である。凹部３１の第一内面３３は下部ブロック本体部２１の側面２３，２５に対して平行であり、その第一内面３３に隣接する第二内面３４は下部ブロック本体部２１の側面２４，２６に対して平行である。ここで、第一内面３３は、凹部３１の底面３２と下部ブロック本体部２１の側面２５を区切る辺の対辺から下部ブロック本体部２１の上面２２まで内面３３が立ち上がり、第二内面３４は、凹部３１の底面３２と下部ブロック本体部２１の側面２６を区切る辺の対辺から下部ブロック本体部２１の上面２２まで立ち上がっている。これら内面３３，３４及び底面３２に囲われた空間が凹部３１である。また、第一内面３３と第二内面３４が互いに直交して、第一内面３３と第二内面３４との間に挟まれる入隅３７が形成されている。
【００２９】
下部ブロック本体部２１の側面２３，２５の下部には、フランジ２７，２８が側面２３，２５から出っ張った状態に設けられている。フランジ２７，２８には、下部ブロック２０を橋脚に固定するための鉄筋３９を通す貫通孔が形成されている。鉄筋３９はフランジ２７，２８に定着されている。
【００３０】
下部ブロック本体部２１とフランジ２７，２８は一体に形成されており、フランジ２７，２８の下面と下部ブロック本体部２１の下面は面一になっている。フランジ２７，２８及び下部ブロック本体部２１の下面が橋梁の下部構造体の天端に突き当てられた状態で、鉄筋３９が下部構造体のコンクリートに定着されることによって、下部ブロック２０が下部構造体に固定されている。
【００３１】
フランジ２７，２８及び下部ブロック本体部２１の下面は、下部構造体の天端に付着するのではなく、下部構造体の天端に直接接触しているか、シート等を挟んで突き当てられている。これは、連続橋桁の施工後に下部ブロック２０を簡単に撤去できるようにするためである。
【００３２】
＜１−２．上部ブロック＞
上部ブロック４０は、現場打ちコンクリート製又はプレキャストコンクリート製である。上部ブロック４０には鉄筋若しくは鉄骨又はこれら両方が埋設されていてもよいし、埋設されていなくてもよい。
【００３３】
上部ブロック４０の本体部（以下、上部ブロック本体部という）４１が長方形の板状に形作られている。ここでいう長方形の板状とは、厚さが長さ及び幅よりも小さい直方体のことをいう。
【００３４】
上部ブロック本体部４１の下面４２には、凸部５１が上部ブロック本体部４１と一体となるように形成されている。凸部５１は直方体型に設けられており、凸部５１の横を向いた側面５３〜５６は四つの角が全て直角である四角柱面を成している。そのため、凸部５１の第一側面５３とそれに隣接する第二側面５４は互いに直交し、第一側面５３と第二側面５４との間に挟まれる出隅５７が形成されている。側面５４と側面５５の挟む角、側面５５と側面５６の挟む角、側面５６と側面５３の挟む角についても同様である。また、凸部５１の側面５３〜５６が下面５２に対して直交する。
【００３５】
凸部５１の下面５２は、上部ブロック本体部４１の下面４２及び上面４３に対して平行である。凸部５１の第一側面５３及びそれに隣接する第二側面５４は、凸部５１の下面５２から上部ブロック本体部４１の下面４２にまで垂直に立ち上がっている。第一側面５３の対面５５も凸部５１の下面５２から上部ブロック本体部４１の下面４２にまで垂直に立ち上がっている。第二側面５４の対面５６は、凸部５１の下面５２から立ち上がっているとともに、上部ブロック本体部４１の端面４６と面一となっている。
【００３６】
上部ブロック本体部４１の下面４２の縁部には、上部ブロック４０を橋桁に固定するための鉄筋５９を通す貫通孔が上部ブロック本体部４１の上面４３まで貫通するよう形成されている。鉄筋５９は上部ブロック本体部４１に定着されている。
【００３７】
上部ブロック本体部４１の上面４３が連続橋桁の下面に突き当てられた状態で、鉄筋５９が連続橋桁のコンクリートに定着されることによって、上部ブロック４０が連続橋桁に固定されている。
【００３８】
上部ブロック本体部４１の上面４３は、連続橋桁の下面に付着するのではなく、連続橋桁の下面に直接接触しているか、シート等を挟んで突き当てられている。これは、連続橋桁の施工後に上部ブロック４０を簡単に撤去できるようにするためである。
【００３９】
＜１−３．下部ブロック本体部の上面と上部ブロック本体部の下面の対向＞
上部ブロック本体部４１の端面４６及び凸部５１の側面５６が下部ブロック本体部２１の側面２６と同一方向に向けられた状態で、上部ブロック本体部４１が下部ブロック本体部２１の上方に配置されている。そして、下部ブロック本体部２１の上面２２と上部ブロック本体部４１の下面４２は、これらの間に間隔を置いて、互いに対向する。
【００４０】
＜１−４．上部ブロックの凸部と下部ブロック本体部の凹部との嵌合＞
下部ブロック本体部２１の上面２２と上部ブロック本体部４１の下面４２とが互いに対向した状態では、上部ブロック４０の凸部５１が下部ブロック本体部２１の凹部３１に嵌め込まれているとともに、凸部５１の出隅５７が凹部３１の入隅３７に嵌合している。
【００４１】
この状態では、凸部５１の第一側面５３が凹部３１の第一内面３３に突き当てられて面接触している。そのため、連続橋桁の水平荷重、より具体的には凸部５１の第一側面５３が凹部３１の第一内面３３に押し付けられる向き（図１の矢印α参照）の水平荷重は下部ブロック本体部２１に受けられる。従って、仮支承１０は、矢印αの向きの水平荷重によるせん断力に対して抵抗する。
【００４２】
同様に凸部５１の第二側面５４が凹部３１の第二内面３４に面接触しているので、凸部５１の第二側面５４が凹部３１の第二内面３４に押し付けられる向き（図１の矢印β参照）の水平荷重も下部ブロック本体部２１に受けられる。従って、仮支承１０は、矢印βの向きの水平荷重によるせん断に対して抵抗する。
【００４３】
また、凸部５１の第一側面５３と凹部３１の第一内面３３に面接触していることに加えて、凸部５１の第二側面５４が凹部３１の第二内面３４に面接触していることによって、連続橋桁の鉛直軸周りの回転力も下部ブロック本体部２１に受けられる。
【００４４】
＜１−５．間詰め材＞
下部ブロック本体部２１の上面２２と上部ブロック本体部４１の下面４２との間には、間詰め材６０が挟み込まれている。間詰め材６０は砂（例えば珪砂）、砂利等の粉粒体からなる。間詰め材６０が下部ブロック本体部２１の上面２２と上部ブロック本体部４１の下面４２との間から流出しないように、下部ブロック本体部２１の上面２２と上部ブロック本体部４１の下面４２との間の隙間が、下部ブロック本体部２１及び上部ブロック４０の凸部５１を囲繞するように設けられた閉塞材（例えば鋼板）８０によって閉塞されている。閉塞材８０の内側には、間詰め材６０が充填されている。
【００４５】
同様に、凸部５１の下面５２と凹部３１の底面３２は、これらの間に間詰め材７０を挟み込んだ状態で、互いに対向する。間詰め材７０も粉粒体からなり、凸部５１の下面５２と凹部３１の底面３２との間の隙間が閉塞材８０によって閉塞されることによって、間詰め材７０の流出が抑えられている。
【００４６】
間詰め材６０，７０が下部ブロック２０と上部ブロック４０との間に挟まれるので、連続橋桁の鉛直荷重が間詰め材６０，７０を介して下部ブロック本体部２１に受けられる。従って、仮支承１０は、連続橋桁の鉛直荷重による圧縮に対して抵抗する。
また、間詰め材６０，７０が下部ブロック２０と上部ブロック４０との間に挟まれることによって、矢印α及び矢印βの向きの水平荷重によるせん断に対する仮支承１０の抵抗力が向上する。
【００４７】
ところで、張出架設工法によって連続橋桁を施工した後は、連続橋桁を本支承で支持する必要があるので、前述の緊張材を撤去した上、仮支承１０を撤去する必要がある。仮支承１０の撤去にあたっては、ブロック２０，４０の撤去の前に間詰め材６０，７０を撤去する。
【００４８】
具体的には、まず、閉塞材８０を下部ブロック本体部２１及び上部ブロック４０の凸部５１から外して、間詰め材６０，７０を露出させる。続いて、流体（圧縮エア、水等）を間詰め材６０，７０に噴射することによって、下部ブロック２０と上部ブロック４０との間から間詰め材６０，７０を吹き飛ばす。従って、間詰め材６０，７０の撤去を容易に且つ短時間に行える。
【００４９】
ここで、凹部３１が下部ブロック本体部２１の側面２５，２６において開口しているので、凸部５１の下面５２と凹部３１の底面３２との間から間詰め材７０を取り出すことができる。特に、下部ブロック本体部２１の側面２５側から流体を間詰め材７０に噴射することによって、間詰め材７０が側面２６側から外へ飛散するので、間詰め材７０の撤去が容易である。
【００５０】
間詰め材６０，７０を撤去することによって、圧縮に対する仮支承１０の抵抗が解放されて、連続橋桁の鉛直荷重が仮支承１０から本支承に受け替えられる。更に、矢印α及び矢印βの向きの水平荷重によるせん断に対する仮支承１０の抵抗力も大幅に減少する。
【００５１】
間詰め材６０，７０の撤去工程及び緊張材の撤去工程は、クリティカルパスである。つまり、前述の緊張材を撤去した上で間詰め材６０，７０を撤去すると、連続橋桁の構築工程の後の工程（例えば、連続橋桁のプレストレス工程）を実施できる。このようなクリティカルパスの期間を最小限に抑えられるので、橋梁の工期の短縮化を実現できる。また、後の工程と並行して、ブロック２０，４０を撤去することができるので、橋梁の工期の短縮化を実現できる。
【００５２】
以下、間詰め材６０の変更例について説明する。間詰め材７０も間詰め材６０と同様に変更することができるので、間詰め材７０の変更例についての説明を省略する。
【００５３】
＜１−５−１．間詰め材の変更例１＞
粉粒体からなる間詰め材６０の代わりに、図５の断面図に示すように間詰め材６１が下部ブロック本体部２１の上面２２と上部ブロック本体部４１の下面４２との間に挟み込まれている。間詰め材６１は横になった複数の丸鋼棒６２の束であり、これら丸鋼棒６２が間詰め材６１が下部ブロック本体部２１の上面２２と上部ブロック本体部４１の下面４２との間に密に詰め込まれている。これら丸鋼棒６２の軸方向が下部ブロック本体部２１の側面２３，２５に対して平行である。そして、下部ブロック本体部２１の側面２３，２５に設けられたストッパ８１，８２が下部ブロック本体部２１の上面２２から上に張り出しており、これら丸鋼棒６２がストッパ８１，８２に受け止められている。よって、丸鋼棒６２が下部ブロック本体部２１の上面２２と上部ブロック本体部４１の下面４２との間の隙間から転がり出ることを抑制している。
【００５４】
間詰め材６１の撤去について説明する。
張出架設工法によって連続橋桁を構築した後、図６に示すように、ストッパ８１，８２を取り外す。そうすると、丸鋼棒６２を転動させて、丸鋼棒６２を下部ブロック本体部２１の上面２２と上部ブロック本体部４１の下面４２との間の隙間から簡単に取り出すことができる。
【００５５】
＜１−５−２．間詰め材の変更例２＞
粉粒体からなる間詰め材６０の代わりに、図７の断面図に示すように間詰め材６４が下部ブロック本体部２１の上面２２と上部ブロック本体部４１の下面４２との間に挟み込まれていてもよい。間詰め材６４は、互いに平行になって下部ブロック本体部２１の上面２２と上部ブロック本体部４１の下面４２との間に敷き詰められた複数の可撓性管６５と、圧縮された状態でこれら可撓性管６５に充填された流体（例えば水又は空気）６６と、を有する。ここで、上部ブロック４０の上に連続橋桁が構築されていなければ、図８に示すように、可撓性管６５が圧縮されていないので、隣接する可撓性管６５の間の隙間６７が広い。一方、上部ブロック４０の上に連続橋桁が構築されると、図７に示すように、連続橋桁の荷重によって可撓性管６５が圧縮されて変形するので、隣接する可撓性管６５の間の隙間６７が狭くなる。
【００５６】
下部ブロック本体部２１の上面２２と上部ブロック本体部４１の下面４２との間にある可撓性管６５に流体６６が充填されているので、流体６６が下部ブロック本体部２１の上面２２と上部ブロック本体部４１の下面４２との間にある状態を容易に維持することができる。
【００５７】
間詰め材６４の撤去について説明する。
張出架設工法によって連続橋桁を構築した後、流体６６を減圧する。これにより、流体６６を可撓性管６５から流出させる。そうすると、圧縮やせん断に対する仮支承１０の抵抗が解放される。
その後、流体６６の流出後、可撓性管６５を撤去する。
【００５８】
＜１−５−３．間詰め材の変更例３＞
粉粒体からなる間詰め材６０の代わりに、図９の断面図に示すように間詰め材６８が下部ブロック本体部２１の上面２２と上部ブロック本体部４１の下面４２との間に挟み込まれていてもよい。間詰め材６８は、コンクリート材であるブロック本体部２１，４１よりも軟質な材料からなる楔であり、より具体的には木製の楔である。ここで、間詰め材６８を利用する場合、下部ブロック本体部２１の上面２２と上部ブロック本体部４１の下面４２は互いに平行ではない。つまり、下部ブロック本体部２１の上面２２は上部ブロック本体部４１の下面４２に対して傾斜しており、上面２２と下面４２は側面２３から側面２５に向けて拡開している。
【００５９】
間詰め材６８の撤去について説明する。
張出架設工法によって連続橋桁を構築した後、図１０に示すように間詰め材６８をチェーンソー等によって水平に切断すると、間詰め材６８を取り出すことができる。ここで、間詰め材６８がコンクリート材よりも軟質であるので、間詰め材６８の切断が容易である。
【００６０】
＜２．仮支承の組合せ＞
１台の仮支承１０は、図１に示す矢印α，βの反対向きの水平荷重によるせん断力に対して抵抗し得ない。そこで、２台の仮支承１０を１組として、１組又は複数組の仮支承１０を連続橋桁と下部構造体との間に設置する。これにより、一方の仮支承１０によって抵抗し得ない向きのせん断力が他方の仮支承１０によって抵抗される。
【００６１】
図１１は、１組の仮支承１０を示した斜視図である。以下の説明では、１組の仮支承１０のうち一方を仮支承１０Ａと称し、他方を仮支承１０Ｂと称する。また、一方の仮支承１０Ａの構成要素の符号に「Ａ」を付加し、他方の仮支承１０Ｂの構成要素に「Ｂ」を付加する。また、１組の仮支承１０を、つまり仮支承１０Ａと仮支承１０Ｂの組合せを仮支承対１１と称する。
【００６２】
図１１に示すように、一方の仮支承１０Ａと他方の仮支承１０Ｂは鉛直軸な軸に関して相互に軸対称であり、一方の仮支承１０Ａの設置向きは、他方の仮支承１０Ｂの設置の向きを鉛直軸周りに１８０°回転させた向きである。つまり、仮支承１０Ａの凸部５１Ａの側面５３Ａは仮支承１０Ｂの凸部５１Ｂの側面５５Ｂと、凸部５１Ａの側面５５Ａは凸部５１Ｂの側面５３Ｂと、凸部５１Ａの側面５４Ａは凸部５１Ｂの側面５６Ｂと、凸部５１Ａの側面５６Ａは凸部５１Ｂの側面５４Ｂと同一向きである。
【００６３】
図１１に示す例では、仮支承１０Ａと仮支承１０Ｂが互いに近接して並設されており、好ましくは仮支承１０Ａと仮支承１０Ｂが橋軸方向又は梁幅方向に並んでいる。但し、仮支承１０Ａと仮支承１０Ｂが鉛直軸に関して軸対称であれば、仮支承１０Ａと仮支承１０Ｂが近接していることは必ずしも必要なく、また仮支承１０Ａと仮支承１０Ｂが並設されていることも必ずしも必要ない。
【００６４】
なお、下部ブロック２０Ａと下部ブロック２０Ｂが一体化され、上部ブロック４０Ａと上部ブロック４０Ｂが一体化されていてもよい。つまり、下部ブロック本体部２１の側面２４Ｂと下部ブロック本体部２１Ａの側面２４Ａが互いに結合して、上部ブロック本体部４１Ｂの端面４６Ｂの対面と上部ブロック本体部４１Ａの端面４６Ａの対面が互いに結合してもよい。或いは、下部ブロック本体部２１の側面２６Ｂと下部ブロック本体部２１Ａの側面２６Ａが互いに結合して、上部ブロック本体部４１Ｂの端面４６Ｂと上部ブロック本体部４１Ａの端面４６Ａが互いに結合してもよい。
【００６５】
＜３．具体例＞
続いて、仮支承対１１の使用方法について説明するとともに、仮支承対１１を用いて橋梁を構築する方法について説明する。
【００６６】
まず、図１２及び図１３に示すように、下部構造体（例えば、橋脚）２を構築した後、２台の本支承（例えば免震支承）３を橋幅方向に並べて下部構造体２の天端の中央部上に設置する。また、本支承３の橋軸方向両側において下部ブロック２０Ａと下部ブロック２０Ｂを交互に橋幅方向に並べて、これら下部ブロック２０Ａ，２０Ｂを鉄筋３９Ａ，３９Ｂによって下部構造体２の天端に固定する。
【００６７】
次に、閉塞材８０Ａを本体部２１Ａの上面２２Ａから上に張り出すようにして、下部ブロック本体部２１Ａの側面２３Ａ〜２６Ａに閉塞材８０Ａを設ける。これにより、閉塞材８０Ａによって下部ブロック本体部２１Ａを囲繞する。同様に、閉塞材８０Ｂによって下部ブロック本体部２１Ｂを囲繞する。
なお、後述のように間詰め材６０Ａの代わりに間詰め材６１Ａを利用する場合には、ストッパ８１Ａ，８２Ａを下部ブロック本体部２１Ａの上面２２から上に張り出すように側面２３Ａ，２５Ａに設ける。間詰め材６０Ａの代わりに間詰め材６１Ａを利用する場合も同様である。
【００６８】
次に、図１４及び図１５に示すように、下部ブロック本体部２１Ａ，２１Ｂの上面２２Ａ，２２Ｂ上に間詰め材６０Ａ，６０Ｂを配置するとともに、凹部３１Ａ，３１Ｂの底面３２Ａ，３２Ｂ上に間詰め材７０Ａ，７０Ｂを配置する。
なお、間詰め材６０Ａ，６０Ｂの代わりに間詰め材６１Ａ，６１Ｂ（図５参照）、間詰め材６４Ａ，６４Ｂ（図７参照）又は間詰め材６８Ａ，６８Ｂ（図９参照）を配置してもよい。間詰め材７０Ａ，７０Ｂについても同様である。
【００６９】
次に、図１６及び図１７に示すように、上部ブロック４０Ａを間詰め材６０Ａ，７０Ａの上に設置する。この際、上部ブロック本体部４１Ａの下面４２Ａを下部ブロック本体部２１Ａの上面２２Ａに対向させて、間詰め材６０Ａを上部ブロック本体部４１Ａの下面４２Ａと下部ブロック本体部２１Ａの上面２２Ａとの間に挟み込む。更に、上部ブロック４０Ａの凸部５１Ａの出隅５７Ａを下部ブロック本体部２１Ａの凹部３１Ａの入隅３７Ａに嵌合させるように、上部ブロック４０Ａの凸部５１Ａを下部ブロック本体部２１Ａの凹部３１Ａに嵌め込む。これにより、凸部５１Ａの第一側面５３Ａを凹部３１Ａの第一内面３３Ａに突き当てるとともに、凸部５１Ａの第二側面５４Ａを凹部３１Ａの第二内面３４Ａを突き当てる。また、凹部３１Ａへの凸部５１Ａの嵌め込みによって、間詰め材７０Ａを凸部５１Ａの下面５２Ａと凹部３１Ａの底面３２Ａとの間に挟み込む。
同様にして、上部ブロック４０Ｂを間詰め材６０Ｂ，７０Ｂの上に設置する。
【００７０】
次に、図１８に示すように、プレキャスト工法又は現場打ち工法によって柱頭部４を本支承３及び仮支承１０Ａ，１０Ｂの上に構築する。この際、上部ブロック４０Ａ，４０Ｂを鉄筋５９Ａ，５９Ｂによって柱頭部４に固定するとともに、柱頭部４を本支承３及び仮支承１０Ａ，１０Ｂによって支承する。柱頭部４は、連続橋桁の構成要素であって、連続橋桁のうち下部構造体２の上に位置する部分である。
【００７１】
次に、複数の緊張材５を柱頭部４の上端から下部構造体２まで貫通させて、緊張材５の下端を下部構造体２に固定する。緊張材５を下部ブロック２０Ａ及び上部ブロック４０Ａに貫通させる場合には、予め貫通孔を下部ブロック２０Ａ及び上部ブロック４０Ａに形成して、緊張材５を貫通孔に通す。緊張材５を下部ブロック２０Ａ及び上部ブロック４０Ａに貫通させる場合も同様である。
そして、ジャッキ等によって緊張材５を引っ張ることによって緊張材５を緊張させて、緊張材５の上端を柱頭部４の上端に定着する。
【００７２】
次に、張出架設工法により柱頭部４の橋軸方向両端の先にブロック（連続橋桁の構成要素）を順次張り出すように施工することによって、連続橋桁を橋軸方向に延伸するよう構築する。
連続橋桁が完成したら、図１９に示すように緊張材５を撤去する。更に、閉塞材８０Ａ，８０Ｂを外して、間詰め材６０Ａ，６０Ｂ，７０Ａ，７０Ｂを撤去する。これにより、連続橋桁の鉛直荷重が仮支承１０から本支承に受け替えられるとともに、せん断に対する仮支承１０Ａ，１０Ｂの抵抗も解放される。そうすると、連続橋桁の構築工程の後の工程を実施できる。
次に、図２０に示すように、下部ブロック２０Ａ，２０Ｂ及び上部ブロック４０Ａ，４０Ｂを撤去する。
【００７３】
＜４．効果＞
以上の実施形態によれば、次のような効果が得られる。
【００７４】
（ａ）  仮支承１０は、連続橋桁の鉛直荷重による圧縮に対して抵抗するのみならず、矢印α及び矢印βの向きの水平荷重によるせん断に対しても抵抗する。そのため、従来設置したＨ鋼を設置せずとも済み、橋梁の工期の短縮化が図れる。
【００７５】
（ｂ）  間詰め材６０，７０が下部ブロック２０と上部ブロック４０との間に挟み込まれており、間詰め材６０，７０とブロック２０，４０との化学的又は物理的な結合が存在しないので、間詰め材６０，７０を短時間の間に且つ容易に撤去することができる。間詰め材６１，６４，６８の場合も同様である。
【００７６】
（ｃ）  間詰め材６０，７０が粉粒体からなるので、間詰め材６０，７０を吹き飛ばすだけで、間詰め材６０，７０を短時間の間に且つ容易に撤去することができる。特に、凹部３１が下部ブロック本体部２１の側面２５，２６において開口しているので、間詰め材７０の撤去が容易である。
【００７７】
（ｄ）  間詰め材６０，７０を撤去すると、仮支承１０の圧縮抵抗が解放されるとともに、せん断抵抗も大幅に減少する。そのため、下部ブロック２０及び上部ブロック４０を撤去せずとも、間詰め材６０，７０の撤去から時間を置かずに連続橋桁の構築後の工程を実施できる。
【００７８】
（ｅ）  間詰め材６１が丸鋼棒６２からなるので（図５参照）、図６に示すように丸鋼棒６２を転動させるだけで、間詰め材６１を容易に撤去することができる。
【００７９】
（ｆ）  間詰め材６４の可撓性管６５に充填された流体６６を減圧して（図７参照）、可撓性管６５から流体６６を流出させるだけで、仮支承１０の圧縮抵抗やせん断抵抗を容易に解放することができる。よって、流体６６の減圧から時間を置かずに連続橋桁の構築後の工程を実施できる。
【００８０】
（ｇ）  木材からなる間詰め材６８は切断しやすい。よって、間詰め材６８を撤去しやすい。
【００８１】
＜５．変形例＞
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以下に、以上の実施形態からの変更点について説明する。以下に説明する変更点は、可能な限り組み合わせて適用してもよい。
【００８２】
（ａ）  上述の実施形態では、凹部３１が下部ブロック本体部２１の側面２５，２６において開口している。それに対して、図２１に示すように、凹部３１が下部ブロック本体部２１の側面２６において開口せず、下部ブロック本体部２１の側面２５において開口してもよい。この場合、凹部３１の第二内面３４に対向した第三内面３６と第一内面３３が隣接し、第一内面３３と第三内面３６が互いに直交して、第一内面３３と第三内面３６との間に挟まれる入隅３８が形成されている。そして、凸部５１が下部ブロック本体部２１の凹部３１に嵌め込まれることによって、凸部５１の第二側面５４の対面（第三側面）５６が凹部３１の第三内面３６に突き当てられて面接触しており、その対面５６と第一側面５３とに挟まれる出隅５８が入隅３８に嵌合する。凸部５１の第三側面５６が凹部３１の第三内面３６に押し付けられる向き（図１の矢印βの向きの反対向き）の水平荷重も下部ブロック本体部２１に受けられる。従って、仮支承１０は、その水平荷重によるせん断に対して抵抗する。
【００８３】
（ｂ）  図２２に示すように、上述のように説明した仮支承１０を水平軸周りに１８０°回転させることによって上下反転させてもよい。この場合、「下部ブロック２０」を「上部ブロック２０」と、「上部ブロック４０」を「下部ブロック４０」と、「下部ブロック本体部２１」を「上部ブロック本体部２１」と、「下部ブロック本体部２１の上面２２」を「上部ブロック本体部２１の下面２２」と、「下部ブロック本体部２１の下面」を「上部ブロック本体部２１の上面」と、「フランジ２７，２８の下面」を「フランジ２７，２８の上面」と、「上部ブロック本体部４１」を「下部ブロック本体部４１」と、「上部ブロック本体部４１の下面４２」を「下部ブロック本体部４１の上面４２」と、「上部ブロック本体部４１の上面４３」を「下部ブロック本体部４１の下面４３」と、「凹部３１の底面３２」を「凹部３１の天面３２」と、「凸部５１の下面５２」を「凸部５１の上面５２」と称し替える。また、フランジ２７，２８及び上部ブロック本体部２１の上面が連続橋桁の下面に突き当てられた状態で、鉄筋３９が連続橋桁のコンクリートに定着することによって、上部ブロック本体部２１が連続橋桁に固定されることになる。また、下部ブロック本体部４１の下面４３が下部構造体の天端に突き当てられた状態で、鉄筋５９が下部構造体のコンクリートに定着することによって、下部ブロック本体部４１が下部構造体に固定されることになる。
【００８４】
（ｃ）  上述の実施形態では、下部ブロック本体部２１の側面２３〜２６が四角柱面を成している。それに対して、下部ブロック本体部２１の側面（周面）が円柱面を成していてもよい。この場合、凸部５１の側面５５，５６の形状を円弧柱面に変更し、凸部５１の形状を中心角が直角の円弧柱状に変更する。
【００８５】
（ｄ）  上述の実施の形態では、凹部３１が直方体型であり、凸部５１が直方体型である。それに対して、図２３〜図２６に示すように、凹部３１が半球を四等分した形状であり、凸部５１が半球を四等分した形状であってもよい。具体的には、次の通りである。
【００８６】
下部ブロック本体部２１の上面２２の角が球の八等分状に切り欠いた状態に設けられることによって、凹部３１の内面１３１が下部ブロック本体部２１の上面２２から凹状に湾曲するように立ち下がっており、その内面１３１が凹面状（より具体的には球面型の凹面状）に形成されている。凹部３１は下部ブロック本体部２１の上面２２のみならず、側面２５及び側面２５においても開口する。なお、内面１３１が放物面型又は楕円面型の凹面状に形成されていてもよい。
【００８７】
一方、凸部５１の横を向いた側面１５６とそれに隣接する側面１５５とは上部ブロック本体部４１の下面４２から垂直に立ち下がり、側面１５６は上部ブロック本体部４１の端面４６と面一となっている。側面１５６及び側面１５５に隣接する側面（外面）１５１は上部ブロック本体部４１の下面４２から凸状に湾曲するように立ち下がっており、その側面１５１が凸面状（より具体的には球面型の凸面状）に形成されている。なお、側面１５１が放物面型又は楕円面型の凹面状に形成されていてもよい。
【００８８】
下部ブロック本体部２１の上面２２と上部ブロック本体部４１の下面４２はこれらの間に間隔を置いて互いに対向し、下部ブロック本体部２１の上面２２と上部ブロック本体部４１の下面４２との間には間詰め材１６０が挟み込まれている。これにより、連続橋桁の鉛直荷重が間詰め材１６０を介して下部ブロック本体部２１に受けられる。なお、間詰め材１６０は、上述の間詰め材６０，６１，６４，６８と同様のものである。
【００８９】
下部ブロック本体部２１の上面２２と上部ブロック本体部４１の下面４２とが互いに対向した状態では、上部ブロック４０の凸部５１が下部ブロック本体部２１の凹部３１に嵌め込まれている。凸部５１の側面１５１の曲率半径が凹部３１の内面１３１の曲率半径よりも小さく、凸部５１の側面１５１と凹部３１の内面１３１はこれらの間に間隔を置いて対向する。間詰め材１６０は、凸部５１の側面１５１と凹部３１の内面１３１との間にも挟み込まれている。そのため、連続橋桁の二方向（矢印α及び矢印βの向き）の水平荷重が間詰め材１６０を介して下部ブロック本体部２１（特に内面１３１）に受けられ、連続橋桁の鉛直荷重が間詰め材１６０を介して下部ブロック本体部２１（特に内面１３１）に受けられる。
【００９０】
張出架設工法によって連続橋桁を施工した後は、間詰め材１６０を撤去すると、鉛直方向の圧縮に対する仮支承１０の抵抗が解放されて、連続橋桁の鉛直荷重が仮支承１０から本支承に受け替えられる。更に、矢印α及び矢印βの向きの水平荷重によるせん断に対する仮支承１０の抵抗も解放される。
【００９１】
なお、上記実施形態と同様に、２台の仮支承１０を１組として、一方の仮支承１０と他方の仮支承１０を鉛直軸な軸に関して相互に軸対称とする。また、変形例（ｂ）の場合と同様に、図２７に示すように、仮支承１０を水平軸周りに１８０°回転させることによって上下反転させてもよい。
【符号の説明】
【００９２】
２…下部構造体，  ４…柱頭部（橋桁），  １０…仮支承，  ２０…下部ブロック，  ２１…下部ブロック本体部，  ２２…下部ブロック本体部の上面，  ２３〜２５…下部ブロック本体部の側面，  ３１…凹部，  ３２…凹部の底面，  ３３…凹部の第一内面，  ３４…凹部の第二内面，  ３７…入隅，  ４０…・上部ブロック，  ４１…上部ブロック本体部，  ４２…上部ブロック本体部の下面，  ５１…凸部，  ５２…凸部の下面，  ５３…凸部の第一側面，  ５４…凸部の第二側面，  ６０…間詰め材（第一間詰め材），  ６１…間詰め材（第一間詰め材），  ６２…丸鋼棒（丸棒），  ６４…間詰め材（第一間詰め材），  ６５…可撓性管，  ６６…流体，  ６８…間詰め材（第一間詰め材）  ７０…間詰め材（第二間詰め材），  １３１…凹部の内面，  １５１…凸部の側面（外面）
【図１】
2018145636.tif 000003
【図２】
2018145636.tif 000004
【図３】
2018145636.tif 000005
【図４】
2018145636.tif 000006
【図５】
2018145636.tif 000007
【図６】
2018145636.tif 000008
【図７】
2018145636.tif 000009
【図８】
2018145636.tif 000010
【図９】
2018145636.tif 000011
【図１０】
2018145636.tif 000012
【図１１】
2018145636.tif 000013
【図１２】
2018145636.tif 000014
【図１３】
2018145636.tif 000015
【図１４】
2018145636.tif 000016
【図１５】
2018145636.tif 000017
【図１６】
2018145636.tif 000018
【図１７】
2018145636.tif 000019
【図１８】
2018145636.tif 000020
【図１９】
2018145636.tif 000021
【図２０】
2018145636.tif 000022
【図２１】
2018145636.tif 000023
【図２２】
2018145636.tif 000024
【図２３】
2018145636.tif 000025
【図２４】
2018145636.tif 000026
【図２５】
2018145636.tif 000027
【図２６】
2018145636.tif 000028
【図２７】
2018145636.tif 000029